(57)【要約】【課題】    高圧受電設備の清掃作業は全停電で行うのが普通であったが、停電を許されない  救急医療や24時間営業の電力需要も多くなりつつあり、無停電で、活線状態で清掃  する必要がある。    しかも、作業者の安全は確保し、感電事故は絶対に防止せねばならない。【解決手段】    電気掃除機の高速気流の力で、スパイラルブラシを回転させて埃を浮遊させ環境を  改善して、効率よく清掃できる様にした。    絶縁パイプにより、高電圧に耐える様にして、作業者の安全を確保した。【選択図】        図1
0003130738.tif 000002
【実用新案登録請求の範囲】
【請求項１】
高圧受電設備の清掃を、活線状態で可能にする為に、電気掃除機の高速気流に
より、回転動力を得る回転ブラシと絶縁パイプを、市販の電気掃除機のアダプターと
して使用する清掃用器具に於いて、絶縁パイプの内面及び外面を撥水性材質又は
撥水性塗装を行った絶縁パイプ及び回転ブラシ部の材質は全て絶縁性の材料で
構成した清掃用器具。
【請求項２】
高圧碍子等の対象物を効率よく清掃する為にツイン構成の回転ブラシと
電気掃除機の高速気流により、ブラシに回転力を与える整流カバーを具備した
ツイン回転ブラシ部から成る請求項1記載の清掃用器具。
【請求項３】
清掃の対象物の形状に容易に対応できる様に、回転ブラシヘッド部のブラシを容易に
交換可能とした請求項1記載の清掃用器具。
【請求項４】
羽根車と回転ブラシを兼用の一体型とし、別の羽根車を不要とした、羽根車形回転
ブラシと埃の飛散を防ぐ為に空気の流れを整えるベルマウス部を有する請求項1記載
の清掃用器具。
【考案の詳細な説明】
【技術分野】
【０００１】
高圧受電設備の清掃用器具に関する。
【背景技術】
【０００２】
電力の供給信頼度を高く維持する為には、高圧受電設備の機器等の
経年的な汚損に対して、定期的な清掃を行う様に義務付けられている。
清掃を行う為には、安全の確保の為に、設備を全停電して清掃作業を行うのが
一般的であった。
しかし、最近では、停電が許されない需要設備が散見される様になった。
例えば、救急病院、24時間営業のコンビニエンス店舗等がある。
【０００３】
関連の出願としては
【特許文献１】特開2002-223996等多数ある。
【０００４】
従来、停電しないで、活線状態での清掃は、感電事故防止の為に、対象機器から
離れた位置よりブロワーで埃を吹き飛ばす事が行われていた。
【０００５】
しかし、十分隅々まで清掃出来ない、埃が周辺に浮遊し再度沈降して汚損する等
清掃の効果を十分発揮できなかった。
更には、周辺の作業環境を悪化し、作業者の健康に良くなかった。
【考案の開示】
【考案が解決しようとする課題】
【０００６】
清掃の対象である、設備機器が高圧の活線状態であっても、作業者が感電する
ことも無く安全に確実に清掃作業が実施できる様にする。
【０００７】
作業者が埃を呼吸しないように環境を改善する。
又、清掃の対象物の形状により、回転ブラシ(1)の形を変える方が、作業効率が
良いので回転ブラシ(1)を簡単に交換できる様にする。
【０００８】
市販の電気掃除機にアダプターを追加するのみで、極めて安く、活線清掃が
できる様にする。
【課題を解決するための手段】
【０００９】
埃を碍子等の表面から遊離させる為に、柔らかいブラシで撫でるように接触させる
のが効果的である。
【００１０】
埃を吹き飛ばすよりも、埃を浮遊させて、真空で吸引して、フィルターで捕捉すれば
埃が周辺に飛び散り、環境を汚損し悪化する事もなくなる。
【００１１】
図1、図2、図3に示す様に、回転ブラシ(1)はブラシがスパイラル構造で、
電気掃除機(9)の高速気流により、駆動されるブラシ兼羽根車(1)を装備した
回転ブラシヘッド部(5)及び絶縁パイプ(6)を市販の電気掃除機(9)のホースの先端の
吸込み口(7)に接続し、電気掃除機(9)を起動して回転ブラシ(1)で、清掃の対象機器
の表面を撫でて埃を遊離させ、負圧の気流で吸引する。
回転ブラシ(1)は固定軸(2)とスリーブ(4)を介して回転自在に取付けられている。
【００１２】
回転ブラシヘッド部(5)と電気掃除機(9)の吸込み口(7)の間は、感電防止の為に
高い絶縁耐力を要求されるので絶縁パイプ(6)で接続する。
回転ブラシヘッド部(5)は、全て使用材質を絶縁物で構成する事により、清掃作業
中の地絡、短絡事故を防止する。
絶縁パイプ(6)と掃除機本体(9)のフレキシブルホースの先端の吸込み口(7)との
間はテーパー部(13)により容易に接続できる。
【００１３】
ブラシ(1)を回転させる動力として、負圧の高速気流中に設置されたスパイラル
回転ブラシ(1)を使用する事により、容易に動力を得る事ができる。
スパイラル回転ブラシ(1)に付着した埃が、遠心力により飛散しない様に
ベルマウス部(12)を設けて気流を安定化した。
【００１４】
図3で、スラスト受け(19)は掃除機の気流により回転ブラシ(1)が軸方向に
力を受けるのでこの力を支える。
又、ダブルナット(20)を緩めて外せば、回転ブラシ(1)を引抜き簡単に交換できる。
【００１５】
スパイラル回転ブラシ(1)方式は、電気モーターの場合の様な配線も不要で、
容易に絶縁耐圧を確保できる。  又、構造が単純であり、製造コストが安くなる。
【考案の効果】
【００１６】
受電設備の清掃作業が、活線状態でできるので、清掃作業の為の停電が不要で
電力の供給信頼度が向上する。
又、全停電の予約手続きも不要で、業務が簡素化できる。
停電しないので、作業時間の制約が少なくなり、落ち着いて作業ができるので
ヒューマンエラーによる事故も減少する。
【考案を実施するための最良の形態】
【００１７】
高圧受電設備の清掃作業を、無停電で実施する為に、市販の電気掃除機本体(9)を
利用し、アダプターの回転ブラシヘッド部(5)及び絶縁パイプ(6)を装着する事で、
安全に容易に効率よく清掃作業が実施できる。
【実施例１】
【００１８】
図1に示す様に、回転ブラシ(1)の先端が細くなる様にテーパーを付けると、狭い
場所の掃除が容易になる。
【実施例２】
【００１９】
図2に示す様に、アングルパイプ(10)により、回転ブラシ(1)の向きを変える事に
より、狭い曲がった場所の掃除が容易にできる。
【実施例３】
【００２０】
図3に示す様に、平面の掃除をする場合は、回転ブラシ(1)の半径が一定の
方が効率よく作業できる。
【実施例４】
【００２１】
図4に示す様に、清掃の対象部の碍子(15)やクリート(16)は複雑な形状をしており、
図5のツイン回転ブラシ(18)で碍子等を挟む様にすると両サイドを同時に効率よく
短時間で作業できる。
ツイン回転ブラシ(18)では、気流で回転力を発生する様に整流カバー(11)により
ブラシ(18)の片側半面に気流(17)を受けるので回転力が得られ、ブラシをスパイラル
構造にする必要が無く、ホイールブラシで良いので製造コストを安くできる。
【図面の簡単な説明】
【００２２】
【図１】考案の全体構成
【図２】回転ブラシヘッド部
【図３】羽根車形回転ブラシ
【図４】高圧碍子と絶縁樹脂
【図５】ツインブラシヘッド部
【符号の説明】
【００２３】
1  スパイラル回転ブラシ
2  固定軸
3  軸固定部
4  スリーブ
5  回転ブラシヘッド部
6  絶縁パイプ
7  吸込み口
8  掃除機のフレキシブルホース
9  掃除機本体
10  アングルパイプ
11  整流カバー
12  ベルマウス部
13  テーパー部
14  通気窓
15  高圧碍子
16  母線支持樹脂
17  気流の方向
18  ツイン回転ブラシ
19  スラスト受け
20  ダブルナット
【図１】
0003130738.tif 000003
【図２】
0003130738.tif 000004
【図３】
0003130738.tif 000005
【図４】
0003130738.tif 000006
【図５】
0003130738.tif 000007